(57)【要約】【課題】  異なる味の刺激感覚を得ることができ、吸上げる過程の視覚の刺激感覚を味わうことができるストローの構造を提供する。【解決手段】  多種類の構造のコップに適用可能なストローの構造である。ストローは、予定口径と予定長さとを有するメンストロー１と、メンストロー１から分岐した複数の支ストロー２とから構成される。メンストロー１からは、対称する二つの支ストロー２又は互いに１２０度を成す三つの支ストロー２が分岐して延長している。メンストロー１の管内は、二つの通路に分割されている。したがって、使用者はストローにより異なる飲料を同時に吸い上げることができ、且つ各支ストロー２の互いの連通箇所と、各支ストロー２とメンストロー１の開口部との距離とを変更して、飲料の混合点を変更することにより、異なる味の刺激感を得ることができる。【選択図】    図１
0003112476.tif 000002
【実用新案登録請求の範囲】
【請求項１】
多種類の構造のコップに適用可能なストローの構造において、
予定口径と予定長さとを有するメインストローと、前記メインストローから分岐した複数の支ストローとから構成されることを特徴とするストローの構造。
【請求項２】
前記メインストローからは、対称する二つの支ストロー又は互いに１２０度を成す三つの支ストローが分岐して延長することを特徴とする請求項１に記載のストローの構造。
【請求項３】
前記メインストローの管内は、二つの通路に分割されていることを特徴とする請求項１に記載のストローの構造。
【考案の詳細な説明】
【技術分野】
【０００１】
本考案は、ストローの構造に係り、特に、コップ内で分離されて異なる味を持つ飲料を同時に吸い上げることができるストローの構造に関するものである。
【背景技術】
【０００２】
ストローは、国民が良く使用しているものであり、日常用品の一種である。飲料を飲む方法は、口で直接に飲料を飲む方法の他に、ストローを利用して飲料を吸い上げる方法が良く使用される。目下、飲料の包装は色々あり、ストローは単一の種類の飲料を吸い上げるためのものとして使用される。なお、図１２に示すのは、従来のストローの使用状態を示す概略図である。しかしながら、従来のストローは、現代の使用者の要求を満足できなくなり、現在の若者は多種類の異なる味の飲料を同時に吸い上げないと、彼らにとって刺激が十分でなく、且つ単調な形状は彼らの好奇心を呼び出すことができず、従来のストローを使用する場合には、一本のストローで二つのコップから飲料を吸い上げることができない。
【考案の開示】
【考案が解決しようとする課題】
【０００３】
本考案の主な目的は、メインストローから複数本の支ストローが分岐して延長し、且つ支ストローが異なる飲料に挿入されることにより、使用者は異なる飲料を同時に吸い上げることができ、且つ各支ストローの互いの連通箇所と、各支ストローとメインストローの開口部との距離とを変更して、飲料の混合点を変更することにより、異なる味の刺激感覚を得ることができるストローの構造を提供する。
本考案の次の目的は、吸上げる過程の視覚の刺激感覚を味わうことが十分にできるストローの構造を提供する。
【課題を解決するための手段】
【０００４】
上記目的を達成するためになされた本考案は、多種類の構造のコップに適用可能なストローの構造において、当該ストローは予定口径と予定長さとを有するメインストローと、前記メインストローから分岐した複数の支ストローとから構成されることを特徴とするストローの構造であることを要旨としている。
【０００５】
本考案では、前記メインストローからは対称する二つの支ストロー又は互いに１２０度を成す三つの支ストローが分岐して延長することを特徴とする請求項１に記載のストローの構造であることを要旨としている。
本考案では、前記メインストローの管内は二つの通路に分割されていることを特徴とする請求項１に記載のストローの構造であることを要旨としている。
【０００６】
本考案に係るストローの構造によれば、次のような効果がある。
（イ）本考案に係るストローは、メインストローから複数本の支ストローが分岐して延長し、且つ支ストローが異なる飲料に挿入されることにより、使用者は異なる飲料を同時に吸い上げることができ、且つ各支ストローの互いの連通箇所と、各支ストローとメインストローの開口部との距離とを変更して、飲料の混合点を変更することにより、異なる味の刺激感を得ることができる。
（ロ）吸上げる過程の視覚の刺激感覚を味わうことが十分にできる。
【考案を実施するための最良の形態】
【０００７】
以下、添付図面を参照して本考案の好適な実施の形態を詳細に説明する。
まず、図１から図４に示すのは、本考案に係る実施例１であり、その主な構造は、予定口径と予定長さとを有するメインストロー１と、前記メインストロー１から分岐した２本の支ストロー２とから構成されているものであり、なお、本実施例は一体成形されたものであるので、構造がより簡潔で強固になる。なお、図２に示すのは、二つの収納空間３１を持つコップ３に本実施例に係るストローを使用する状態であり、本実施例の２本の互いに対称する支ストロー２はそれぞれ異なる味の飲料が充填された収納空間３１に挿入されるとき、メインストロー１が吸われると、二つの異なる味を持つ飲料がそれぞれ支ストロー２を経由してメインストロー１で混合されて使用者の口に進入し、斬新な刺激感覚を味わうことができる。本実施例に係るストローは、一般のコップにも適用でき、図３に示すように、カップルや友達がバーで飲み物を飲むときに、本実施例に係る支ストロー２を二つの普通のコップ３に挿入して、異なる飲料を同時に吸上げると、斬新な刺激感覚を味わうことができる。また、図４に示すように、本実施例に係るストローを二つの図２に示すコップ３に挿入して、異なる飲料を同時に吸上げると、斬新な刺激感覚を味わうことができる。
【０００８】
また、本考案は、図５に示すような構造に設計されてもよく、すなわち、本考案の実施例２に係るストローは、メインストロー１から互いに１２０度を成す三本の支ストロー２が分岐して延長し、もちろん、ここでコップ３は三つの収納空間３１を持つ構造に設計されてもよく、そうすると、三つの異なる味の飲料が混合する感覚は新鮮であり、若者の要求を満足することができる。
【０００９】
また、図７から図９を参照する。本考案の実施例３に係るストローは、メインストロー１の管内が二つの通路に分割されているものであり、この設計は図１に示すメインストローと異なる。その原因は、図１に示すように、コップ３内の異なる味の飲料が支ストロー２を経由してメインストロー１に進入する場合、飲料の混合点はメインストロー１の内部であり、メインストロー１の内部で混合された後、使用者の口に進入し、なお、図７に示す構造を使用する場合には、飲料の混合点は使用者の口の内部であり、したがって、使用者にとって両者の刺激感覚は異なる。
【００１０】
特に説明したいのは、本実施例に係るストローが適用されるコップ３は収納と運搬が極めて便利であり、その原因は、図１０と図１１とに示すように、多数のコップ３を積上げることができるためである。
【００１１】
したがって、本実施例に係るストローは、メインストロー１から複数本の支ストロー２が分岐して延長し、且つ支ストロー２が異なる飲料に挿入されることにより、使用者は異なる飲料を同時に吸い上げることができ、且つ各支ストロー２の互いの連通箇所と、各支ストロー２とメインストロー１の開口部との距離とを変更して、飲料の混合点を変更することにより、異なる味の刺激感を得ることができ、且つ使用者は吸上げる過程の視覚の刺激感覚を味わうことが十分にできる。
【００１２】
このように、本考案は、特定の例を参照して説明されたが、それらの例は説明のためだけのものであり、本発明を限定するものではなく、この分野の通常の知識を有する者は本考案の精神および範囲を逸脱することなく、ここで開示された実施例に変更、追加または削除を施してもよいことがわかる。
【図面の簡単な説明】
【００１３】
【図１】本考案の実施例１によるストローの構造を示す斜視図である。
【図２】本考案の実施例１によるストローの構造の実施状態を示す断面図である。
【図３】本考案の実施例１によるストローの構造の実施状態を示す斜視図である。
【図４】本考案の実施例１によるストローの構造の実施状態を示す斜視図である。
【図５】本考案の実施例２によるストローの構造を示す斜視図である。
【図６】本考案の実施例２によるストローの構造の実施状態を示す斜視図である。
【図７】本考案の実施例３によるストローの構造を示す斜視図である。
【図８】本考案の実施例３によるストローの構造の実施状態を示す斜視図である。
【図９】本考案の実施例３によるストローの構造の実施状態を示す斜視図である。
【図１０】本考案の実施例１または実施例３によるストローの構造が適用されるコップを積上げた状態を示す斜視図である。
【図１１】本考案の実施例２によるストローの構造が適用される他種類のコップを積上げた状態を示す斜視図である。
【図１２】従来のストローの使用状態を示す斜視図である。
【符号の説明】
【００１４】
１  メインストロー、２  支ストロー、３  コップ、３１  収納空間
【図１】
0003112476.tif 000003
【図２】
0003112476.tif 000004
【図３】
0003112476.tif 000005
【図４】
0003112476.tif 000006
【図５】
0003112476.tif 000007
【図６】
0003112476.tif 000008
【図７】
0003112476.tif 000009
【図８】
0003112476.tif 000010
【図９】
0003112476.tif 000011
【図１０】
0003112476.tif 000012
【図１１】
0003112476.tif 000013
【図１２】
0003112476.tif 000014